(57)【要約】【課題】穀粒乾燥機において、感震装置の設置位置を問わず安定した地震検出を行わせ、不測の乾燥機停止を防止しようとする。【解決手段】上部の貯留室、穀物乾燥通路をはさんで熱風室と排風室に構成した乾燥室と、下部にあって乾燥作用を受けた穀物を集める集穀室と、該集穀室の穀物を貯留室に還元すべく昇降機等の循環移送手段を設ける穀物乾燥機において、乾燥機機台の四隅に感震検出器を配設し、これら複数の感震検出器の全作動によってバーナ燃焼を停止すべく出力する制御部を構成してなる。【選択図】   図９
2005156036.tif 000002
【特許請求の範囲】
【請求項１】
上部の貯留室、穀物乾燥通路をはさんで熱風室と排風室に構成した乾燥室と、下部にあって乾燥作用を受けた穀物を集める集穀室と、該集穀室の穀物を貯留室に還元すべく昇降機等の循環移送手段を設ける穀物乾燥機において、該乾燥機の機体に感震検出器を設け、該感震検出器の感震作動によってバーナ燃焼を停止すべく出力し、この検出器による感震時間が所定時間未満であるときには、再度バーナ燃焼すべく出力する制御部を構成してなる穀物乾燥機における安全装置。
【請求項２】
上部の貯留室、穀物乾燥通路をはさんで熱風室と排風室に構成した乾燥室と、下部にあって乾燥作用を受けた穀物を集める集穀室と、該集穀室の穀物を貯留室に還元すべく昇降機等の循環移送手段を設ける穀物乾燥機において、乾燥機機台の四隅に感震検出器を配設し、これら複数の感震検出器の全作動によってバーナ燃焼を停止すべく出力する制御部を構成してなる穀物乾燥機における安全装置。
【請求項３】
上部の貯留室、穀物乾燥通路をはさんで熱風室と排風室に構成した乾燥室と、下部にあって乾燥作用を受けた穀物を集める集穀室と、該集穀室の穀物を貯留室に還元すべく昇降機等の循環移送手段を設ける穀物乾燥機において、該乾燥機本体とは離れた位置に感震検出器を設け、該感震検出器と穀物乾燥機の制御部とを接続し、感震検出作動を受けてこの制御部からバーナ停止出力すべく構成してなる穀物乾燥機の安全装置。
【請求項４】
アース棒に感震検出器を設けてなる請求項３に記載の穀物乾燥機における安全装置。
【請求項５】
電源ブレーカに感震検出器を設けてなる請求項３に記載の穀物乾燥機における安全装置。
【請求項６】
感震検出器はオン−オフ型検出器としてなる請求項１乃至請求項５に記載の穀物乾燥機における安全装置。
【請求項７】
感震検出器は加速度検出型に構成された検出器としてなる請求項１乃至請求項５に記載の穀物乾燥機における安全装置。
【発明の詳細な説明】
【技術分野】
【０００１】
この発明は、穀粒乾燥機において地震検出による安全装置に関する。
【背景技術】
【０００２】
穀粒乾燥機は夜間を含めた長時間に亘る作業であるため、無人運転を余儀なくされ、また、加熱用の燃焼機器としてバーナを備えることとなるため、不測の地震に対して火災の発生を防止すべく感震検出用の感震センサを装備し、地震の発生に伴なって燃料ポンプからの燃料供給を絶ってバーナの安全を図る形態がある（特許文献１）。
【特許文献１】特開平６−１７４２２９号公報
【発明の開示】
【発明が解決しようとする課題】
【０００３】
ところが、穀粒循環形態の穀粒乾燥機では、この穀粒の循環のために穀物搬送機器を備え、あるいは通風のための送風機を備える。とりわけ起動時にはこれらからの振動が付与されて地震の発生同じような作用を感震センサが検出する恐れがある。このように通常の衝撃を地震とみなしては穀粒乾燥が遮断されて穀粒の蒸れを生じる等の不具合がある。また乾燥機の機体は板金製のゆえ振動が伝わり易い性質がある。従って、感震センサはその設置場所を問わず作業員の衝突による衝撃や起動時の各部運転による衝撃を感知して機体を停止させる恐れがある。
【０００４】
この発明は、感震装置の設置位置を問わず安定した地震検出を行わせ、不測の乾燥機停止を防止しようとする。
【課題を解決するための手段】
【０００５】
請求項１に記載の発明は、上部の貯留室、穀物乾燥通路をはさんで熱風室と排風室に構成した乾燥室と、下部にあって乾燥作用を受けた穀物を集める集穀室と、該集穀室の穀物を貯留室に還元すべく昇降機等の循環移送手段を設ける穀物乾燥機において、該乾燥機の機体に感震検出器を設け、該感震検出器の感震作動によってバーナ燃焼を停止すべく出力し、この検出器による感震時間が所定時間未満であるときには、再度バーナ燃焼すべく出力する制御部を構成してなる穀物乾燥機における感震装置の構成とする。これによって、穀粒乾燥運転中、感震検出器が振動を検出するとバーナ燃焼の停止出力がなされ、振動の検出が予め設定した所定時間未満であるときは再度バーナに燃焼出力を出し乾燥を継続運転する。
【０００６】
請求項２に記載の発明は、上部の貯留室、穀物乾燥通路をはさんで熱風室と排風室に構成した乾燥室と、下部にあって乾燥作用を受けた穀物を集める集穀室と、該集穀室の穀物を貯留室に還元すべく昇降機等の循環移送手段を設ける穀物乾燥機において、乾燥機機台の四隅に感震検出器を配設し、これら複数の感震検出器の全作動によってバーナ燃焼を停止すべく出力する制御部を構成してなる穀物乾燥機における感震装置の構成とする。これによって複数の感震検出器が振動を検出するときは地震の発生と推定してバーナ燃焼を停止するが、いずれかが振動するときは当該振動検出の近傍において他物の衝突があったものと推定してバーナ燃焼に停止出力せず当該燃焼を継続する。
【０００７】
請求項３に記載の発明は、上部の貯留室、穀物乾燥通路をはさんで熱風室と排風室に構成した乾燥室と、下部にあって乾燥作用を受けた穀物を集める集穀室と、該集穀室の穀物を貯留室に還元すべく昇降機等の循環移送手段を設ける穀物乾燥機において、該乾燥機本体とは離れた位置に感震検出器を設け、該感震検出器と穀物乾燥機の制御部とを接続し、感震検出作動を受けてこの制御部からバーナ停止出力すべく構成してなる穀物乾燥機の感震装置の構成とする。これによって振動の検出があったときには制御部を経由してバーナ燃焼の停止がなされる。
【０００８】
請求項４に記載の発明は、請求項３においてアース棒に感震検出器を設けてなる。アース棒の上部に設けた感震検出器からの振動情報によって乾燥運転が停止制御される。
請求項５に記載の発明は、請求項３において電源ブレーカに感震検出器を設けてなる。電源ブレーカに振動検出器を配設して直ちに電源をオフしうる。
【０００９】
請求項１乃至請求項５において、請求項６に記載の発明では感震検出器はオン−オフ型検出器としてなり、請求項７に記載の発明では感震検出器は加速度検出型に構成された検出器としてなる。オン−オフ型検出器とする場合は制御部の構成を簡単化でき、加速度検出型に構成する場合は基準を設定して振動の大小を判定することができる。
【発明の効果】
【００１０】
請求項１に記載の発明は、穀粒乾燥運転中、感震検出器が振動を検出するとバーナ燃焼の停止出力がなされ、振動の検出が予め設定した所定時間未満であるときは再度バーナに燃焼出力を出し乾燥を継続運転するものであるから、地震の衝撃による振動かまたは他物の衝突によるものかが区別でき乾燥運転の停止または継続を適時に判定でき、安全運転を損なわずに穀粒品質を所定に確保する乾燥作業を実施できる。
【００１１】
請求項２に記載の発明は、複数の感震検出器が振動を検出するときは地震の発生と推定してバーナ燃焼を停止するが、いずれかが振動するときは当該振動検出の近傍において他物の衝突があったものと推定してバーナ燃焼に停止出力せず当該燃焼を継続するから、請求項１と同じく、安全運転を損なわずに穀粒品質を所定に確保する乾燥作業を実施できる。
【００１２】
請求項３に記載の発明は、穀粒乾燥機とは離れた箇所で振動の検出があったときには制御部を経由してこの乾燥機のバーナ燃焼の停止がなされるから、穀粒乾燥機自体に不測の振動が付与されてもこれを検出せず安定した地震検出と判定が可能である。なお、アース棒の上部に設けた感震検出器からの振動情報によって乾燥運転が停止制御される場合は、感震検出器の存在を確認し易くメンテナンス処理を行う場合に便利である。また、電源ブレーカに振動検出器を配設して直ちに電源をオフする場合には、共有電源とする他の機械を全て停止できて納屋内の農作業機を一挙に電源遮断して地震時の運転停止を実施でき、各装置への感震検出手段の設置を不要としコスト低廉できる。
【発明を実施するための最良の形態】
【００１３】
感震検出手段の性質に関わらず精度良く地震発生を検出して穀粒乾燥機を停止制御させて、安全性を高め、的確で安定した乾燥制御を維持できる穀粒乾燥装置を実現した。
【００１４】
この発明の一実施の形態を図面に基づき説明する。
１は穀物乾燥装置の機枠で、内部には貯留タンク２、乾燥室３、集穀室４の順に積み重ねられる。乾燥室３内には、通気性網体５ａ，５ａを対向させて傾斜状の穀物流下通路５，５を形成し、左右一対の穀物流下通路５，５をＶ字状に形成する。各穀物流下通路５，５の上位側はさらにＶ字形状を形成すべく左右通路５，５の内側を断面菱形の空間部、即ち後記熱風室６に形成する。なお、該菱形断面の空間形成体のうち下半部は、上記のように通気網体にて形成し、逆Ｖ型の上半部は非通気性板材によって形成する。
【００１５】
上記穀物流下通路５，５の下部の左右通路の合流部には繰出バルブ７を設けてなる。該繰出バルブ７は断面円形に形成され、正逆回転に伴って外周一部に形成した導入口部７ａ，７ａから穀物を受け入れて、該正逆回転に伴なって下方の集穀室４に落下させる構成である。
【００１６】
上記乾燥室３の菱形空間部６には、多角形状に形成され乾燥室正面側壁から後面壁に亘る長さに形成された放射体１０を機壁前面及び後面に夫々着脱自在に固定して設けている。該放射体１０の断面形状は、空間部の菱形断面に相似対応すべく上部の逆Ｖ形状と下部のＶ形状とを短い垂直部で連結する略６角形状とされ、上部尖端と下部尖端とに前後に亘るスリット状の開口１１，１２を形成する構成であり、実質的に左半部と右半部とを対向させて固定することによって形成されるものである（図３）。なお、左・右半部の前・後壁への取付けは、左右半部を跨ぐ形状の係止具２６を前壁に、左・右半部に独立的に設ける係止具２７，２７を前・後壁に夫々ボルト止めして着脱しうる構成である。
【００１７】
上記放射体１０の入り口側は、乾燥機正面側に配置するバーナ１３からの熱風を受け入れる構成である。即ち、例えば気化型バーナを所定に固定したバーナ風胴１４を機体正面側に固定し、該バーナ風胴１4と上記放射体１０入り口とは連通している。
【００１８】
機体の背面側には、吸引ファン１５を設け該ファン１５の起風によって、上記菱形空間である熱風室６から前記穀物流下通路５，５を経て該通路の各外方に形成される排風路１６，１６に向け通風すべく構成している。このファン１５は、遠心ファンに構成され、そのケーシング１７は機体背面側に構成する排風胴１８の中央部において、水平軸心Ｐ回りに回転自在に取付け変更可能に設けている。即ち、従来ファンケーシング１７に対して回転自在に設けたファンブレード１９は、上記排風胴１８に接続するベルマウス部２０の空間部を貫通する支持軸２１に支承されていて、実質的にファンケーシング１７とは独立して構成されている。なお、支持軸２１内端部にはプーリ２２を備え、図外モータによって回転駆動されるよう構成している。
【００１９】
集穀室４にはその中央に移送螺旋を備えた下部搬送装置２５を配設し、前記繰出バルブ７からの繰出穀物を受けて例えば機体正面側方向に移送しうる。
機体の正面側には昇降機３０を設け、内部にはバケット３０ａ，３０ａ…を備え、上記下部搬送装置２５からの穀物を掬い上げて、上部天井に設ける上部搬送装置３１始端に投てきすべく構成している。移送螺旋を備えた上部搬送装置３１の終端側における天井中央部には垂下軸３２を設け、該垂下軸３２には回転拡散盤３３を設けている。
【００２０】
前記バーナ１３の設置構造について、燃焼盤部分とケーシング部分とからなりケーシング部分には気化筒や燃焼用１次空気送風ファン等を内蔵する回転気化型バーナを採用し、これを横姿勢にしてバーナ風胴１４に収容し、バーナ火炎は機体内方側に向かうよう設置される。バーナ１３正面側の機壁には熱風通過口３５を開口している。バーナ１３の燃焼火炎は前記吸引ファン１５の回転によって乾燥用風となって熱風室６に至る構成である。なお、ポンプ２６とバルブ２７とによって該バーナ１３のノズル部への供給量の変更に伴い燃焼量も可変すべく構成している。
【００２１】
又バーナ風胴１４を囲うように外気導入スリット３６ａを形成した入り口風胴３６を同じく機壁正面に固定し、この前面には乾燥機用コントローラ（制御部）４０を設けている。
【００２２】
図１０は上記入り口風胴の正面図を示し、コントローラ４０の操作盤４１部を備えている。この操作盤４１面には張込、通風、乾燥、排出、停止の各スイッチ４２，４３，４４，４５，４６を備え、各種運転モードに切り替わるほか運転停止を司る。また、スイッチ４７は緊急スイッチで、当該スイッチ４７を操作すると機体運転部の全部を略同時に停止する。
【００２３】
これらスイッチ４２〜４７のほか、張込量を設定する張込量設定スイッチ４８、最終仕上げ水分値を設定する水分設定スイッチ４９、及び乾燥の速さを籾乾燥の場合は速い・遅い・普通を選択設定でき、他の穀物種類、例えば小麦、大麦等は品種に関連付けて予め設定した乾燥の速さに設定する乾燥設定スイッチ５０を備える。更に、乾燥仕上がりを水分値によらないで処理時間によらせるためにタイマ増・減スイッチ５１，５２を備えている。
【００２４】
水分検出手段５３は１粒水分計であり、所定時間間隔で所定粒数単位で水分測定し各検出結果を平均処理して水分値を算出し、前記操作盤４１面の表示部５４に検出熱風温度等とともに交代的に表示する構成である。制御部４０は併せて１粒水分値から水分バラツキを判定したり、未熟粒の多少を判定できる構成として、これらを３個のＬＥＤ５５，５６によって表示している。
【００２５】
これら操作盤４１面のスイッチ情報等を入力するほか、各種検出センサからの検出情報を入力する乾燥機の制御部４０は、前記気化型バーナの燃料供給量を制御したり、穀物の移送系手段を運転制御すべく構成している。
【００２６】
乾燥機機体の上記コントローラ４０の近傍位置には、感震検出器５７を設ける。該検出器５７は凹部５７ａに鋼球５８を載せた構造であり、凹部５７ａの下側には上下に接点５９ａ,５９ｂを構成し、これら接点５９ａ，５９ｂは該鋼球５８が静止安定状態で共に接触し得て両接点は短絡状態にあってオンしその状態が出力される（図７(ａ)）。また振動によって鋼球５８が円錐凹部５７ａの静止安定状態から脱すると、両接点５９ａ，５９ｂの短絡状態が解除されオープン状態でオフとなり、該振動がなくなると元の静止安定状態に復元する構成である（同図（ｂ））。
【００２７】
上記感震検出器５７は、地震検知によって安定状態のオンから鋼球が移動してオフとなり、この瞬間に制御部４０はバーナ１３のポンプ２６への駆動出力をオフして燃料供給を絶ち燃焼をオフする構成である。また、所定時間Ｔ以内に鋼球５８が静止安定状態に復元すると、当該所定時間ｔの経過と共にバーナ１３への燃料供給を再開する構成である。この所定時間は例えば４分間に決定されており、この所定時間Ｔよりも短いとき又は断続的の場合には地震ではなく何らの衝撃によるものと判定するものであり、その衝撃が回避された時間を見計らってバーナ１３は再燃焼し運転継続可能に設けている。このように構成することによって他物の衝突等による不意の衝撃によるものか又は地震による衝撃かを判定して乾燥運転の継続を行うことができる。
【００２８】
図９は乾燥機機体の下方四隅に感震検出器６０ａ，６０ｂ，６０ｃ，６０ｄを配設し、各検出器のオン又はオフ状態の組み合わせによって、制御部４０は地震であるか又は他の衝撃かを判定することができる。即ち、感震検出器６０ａ〜６０ｄのうちいずれか一の検出器のみが作動するときは、当該検出器を配置する隅部に衝撃が加えられたものと判定して地震とは判定しない構成とする。なお、地震と判定しないときはバーナ１３の燃焼を継続するものとする。
【００２９】
なお上記実施例では感震検出器としてオン−オフ型検出器を用いたが、加速度検出器を用いてもよい。この加速度検出器を用いると、地震判定のための振動レベルを調整できるし、また加速度検出器をコントローラの基板に設けることにより構成を簡単化できる。
【００３０】
上例の作用について説明する。図外張込ホッパに投入された穀物は、張込スイッチ４２をＯＮすることにより駆動する昇降機３０、上部搬送装置３１等を経て貯留タンク２に張り込まれる。
【００３１】
張込完了すると、乾燥作業に移行するが、前段で穀物種類の設定や希望の乾燥仕上げ水分値をスイッチ４９及び５０によって設定する。
上記の処理が行われて乾燥スイッチ４３をＯＮすると、昇降機３０、上・下搬送装置２５，３１、繰出バルブ７等は運転を開始し、かつバーナ１３も駆動状態におかれて熱風が乾燥室３の菱形空間である熱風室６入り口に向けて供給されるものとなる。
【００３２】
ここで、バーナ火炎は吸引ファン１５の回転によって熱風化され、適宜に導入される外気と混合しながら放射体１０内に至り、該放射体１０を加熱しつつ上部及び下部に形成されたスリット状開口１１，１２を経て放射体１０の外に出る。一方放射体１０の加熱によって該放射体１０表面から遠赤外線が放射されるが、この熱放射と上記熱風とは共に流下通路５，５にある穀物に作用し、遠赤外線による輻射熱と熱風とで穀物の内部での水分移行が促進され、熱風による水分除去作用を伴って効率的な乾燥作用を行わせることができる。
【００３３】
穀物流下通路５，５の前後に亘って遠赤外線放射と熱風による乾燥作用を行わせ、該流下通路５，５を通過した熱風は、排風室１６，１６を経由して排風されることとなる。
乾燥室３で乾燥作用を受けた穀物は、集穀室４の下部搬送装置２５，昇降機３０，上部移送螺旋３１を経由して再び貯留タンク２に戻され調質作用を受ける。このような行程を繰返し、所定の水分値に達すると乾燥終了するものである。
【００３４】
上記のように、熱風室６内においては、放射体１０内に入った熱風によって該放射体１０が加熱されて遠赤外線が放射され、一方該放射体１０内の熱風は、廃熱として乾燥機外に排出されることなく、上下のスリット状開口１１，１２部から出て放射体１０の外部に至るもので、遠赤外線放射による輻射熱と熱風とが穀物流下通路５，５の穀物に作用しこれらの相乗効果で穀物は効率的に乾燥されるものである。
【００３５】
上記実施例では、放射体１０の断面形状を穀物流下通路５，５の断面形状に略沿わせて構成するものであるから、放射体１０からの遠赤外線放射を流下穀物が均等に受け易いものである。
【００３６】
ところで、上記の乾燥運転中に感震検出器５７が作動し、鋼球５８が安定状態から脱し接点５９ａ，５９ｂがオフすると、バーナ１３のポンプ作動がオフとなって燃料供給が遮断され燃焼は停止する。その後鋼球５８が所定時間Ｔ内に安定状態に復帰すると当該所定時間Ｔ後にポンプを再作動して燃焼を再開することができる。これによって、他物の衝突などによる一時的な衝撃であって地震による衝撃でないと判定されたときには再度の穀粒乾燥状態に入ることができる。
【００３７】
なお、感震検出器６０ａ〜６０ｄを機体の四隅に配設しているときは、どの検出器も振動検出の状態になるときは地震と判定してバーナ１３の燃焼状態を絶つ。一方いずれか一つの検出器が振動検出し（又は所定振動レベル以上であり）、他はこれを検出しないとき（又は所定振動レベル以下にあるとき）は、当該検出器部分の配置される隅部に他物の衝突に伴う衝撃であると判定してバーナ１３の燃焼を継続するものである。従って、地震であるか他物の衝突であるかの判定を行い得て乾燥運転の継続の適否を判定できる。
【００３８】
図１０は、感震検出器６１をアース棒６２に装着した構成である。該感震検出器６１の振動検出に伴うオン、オフ信号や振動レベルは乾燥機本体側の制御部に入力されるよう構成し、バーナ１３の燃料供給用ポンプをオフさせる構成としている。このように構成すると、アース棒６２は乾燥機本体から離れた位置にあるため、乾燥機本体に感震検出器を設ける構成とは異なり、乾燥機本体への他物の衝突によっては振動を検出しない効果がある。
【００３９】
ところで、感震検出器として前記加速度検出器を採用し、振動レベルを検出しうるよう構成しておく。制御部４０には予め通常運転状態での振動レベルを記憶しておく。この場合機種や製品バラツキにともなう振動レベルの相違を勘案して当該乾燥機に係る通常運転時の振動レベルを記憶しておくものである。所定時間間隔毎に感震検出器の振動レベルを検出し、該検出レベルと振動記憶値とを比較しこの検出レベルが記憶値を下回ると伝動ベルトが切断されたと判断し所定のメンテナンスを促す。なお記憶値以上であるときは正常であるとみなす（図１１）。
【００４０】
感震検出器６４が所謂トランスを取り付ける納屋の配電ボックス等に配置される場合について説明する。感震検出器６４が作動すると三相電源のうち所定の２相を短絡すべくリレー（図示せず）が作動し、供給元電源を遮断する構成である。一方乾燥機のコントローラ側には該感震検出器６４のほか、前記感震検出器５７のように乾燥機に装着された感震検出器を接続する。感震検出器６４の構成とすると、乾燥機本体への衝突によって不測に感震検出器６４が作動することが少なく精度良く地震検出をなしえる。又、地震検知の際は元電源を共通とする納屋内の農作業機を一挙に電源遮断して地震時の運転停止を実施でき、各装置への感震検出手段の設置を不要としコスト低廉できる。また、図１２におけるように、感震検出器５７が作動したとき、ブレーカ側の感震検出器６４が振動検出するか否かによって乾燥機の運転・停止制御を行う。すなわち、該感震検出器６４が振動検出するときは、感震検出機５７の振動検出も勘案すると地震である可能性が極めて高く、ブレーカＯＦＦして乾燥運転を停止する。なお、感震検出器６４が作動しないときは、何らかの衝突が原因であると判定し、バーナ燃焼をオフするがファンの回転は継続する所謂通風運転に移行するものとしている。
【００４１】
図１３〜図２２は乾燥機等の梱包に関する説明図である。このうち図１３は、コントローラ４０部分の梱包状態を示すものである。乾燥機を構成する機枠１のうち乾燥室３及び集穀室４を形成する下部機枠１Ａの正面部には入り口風胴３６を備え、その入口部はカバー部材３６Ａで覆う構成とするが、下部機枠１Ａの上縁Ｆ以上にコントローラ４０は設けられ、このコントローラ４０の操作盤面に対応して開口を有するカバー部材３６Ａも組み付け装着状態では下部機枠１Ａの上縁より上位に一部が突出状になっている（図１４）。このようなカバー部材１Ａとコントローラ４０とは、出荷段階では正面視において下部機枠１Ａの投影圏内に収まるように次の構成となっている。即ち、コントローラ４０はバーナ１３の一側空間部に縦方向にして仮止めされ、カバー部材３６はその上縁が下部機枠１Ａの上縁Ｆと同等高さ又はそれ以下に収まる状態で入口風胴３６を覆うように取付けられる。これによって正面視において下部機枠１Ａの投影圏内に収まって取扱が容易となる（図１３）。
【００４２】
図１５は上記下部機枠１Ａの梱包構造に関する。下部機枠１Ａ下方にはキャスタ６５,６５…が装着状態になっているが、該下部機枠１Ａの下部において、長辺部左右にアングル材６６，６６をコーナーを囲うように組み付け、該アングル材６６，６６を繋ぐよう梯子状に複数の断面長方形の桟６７，６７…を設ける。なお該桟６７，６７…と上記アングル材６６，６６とは下部機枠１Ａの長辺部に対して着脱自在にボルト６８，６８…で組み付けられている。又、上記桟６７，６７…の断面形状の長方形の長辺Ａと短辺Ｂと前記キャスタ６５の突出量Ｃとは、Ａ＞Ｃ＞Ｂの関係に設定されている。
【００４３】
従って、図１６のように梱包の際は、キャスタ６５よりも桟６７の長辺Ａが大のためキャスタ６５を浮かせた状態で下部機枠１Ａを組み付けできる。また、解梱の際には、接地状態で先ずボルト６８，６８…を外し、長手方向に押しやると桟６７，６７…が倒れ、キャスタ６５，６５…が接地する。この状態で桟６７は容易に引き出して回収できる。
【００４４】
なお、図１７のように、下部機枠１Ａと鉄製の桟６７，６７…との間に木材６９を敷き込むことにより、フォークリフトにて吊り上げしても容易に位置ずれしないで済む。
図１８〜図２０における梱包構造は、下部機枠１Ａの左右側部に夫々次のような枠組構成をとっている。即ち、一側は下部機枠１Ａの上下縁に対応すべくＬ型のアングル材７０，７０を設けこれらを接続すべく縦桟７１を所定間隔毎に配置した梯子状の梱包枠７２を副え、他側は木製の上下当板７３，７３に該当板７３と略同厚さの木製縦桟７４を所定間隔毎に配置した梯子状の梱包枠７５を副えてなる。なお、上下アングル材７０や当板７３は機枠１Ａに適宜に開設した孔部をもってボルト止めしてなる。このように構成すると、下部機枠１Ａを梱包して倉庫等で保管する際、縦桟７１，７１…側を下向きに立てて保管することができ（図２０中仮想線）、保管スペースを少なくできるほか、梱包対象の下部機枠１Ａの全周を囲う梱包方法に比較して梱包材を少なくできてコストを低減する。なお、縦桟７１は鉄製でも木製でもよく、所定厚さをもって構成することにより、下部機枠１Ａ乃至その付属構成部分から僅かに突出するプーリ７６やテンションプーリ、あるいはその連動機構を保護しうる。
【００４５】
図２１の梱包方法は、昇降機３０の梱包に係る構成を示している。即ち、左右に適宜に長い梱包枠８０を長手部材８１とこれらを接続する短い接続部材８２とからなるが、その長さを昇降機３０の全長よりも短く構成し、長手方向の略中心近くにおいて昇降機３０を固定する点が特徴である。このように構成すると、機種によって長さの異なる昇降機３０，３０を同じ梱包枠８０を用いて梱包することができ、コストを低廉できるものとなる。なお、積み重ねて一時保管等をする際には図示のように梱包枠８０部分を積み重ねることで段積みの強度を確保できるものである。なお、該梱包枠８０における昇降機３０の固定構造は例えば図２２におけるように、梱包枠８０に固定用ステー８３を設け、該ステー８３を昇降機３０の外函接続用フランジ３０ａに重合してボルト締めすることによって固定しまたは離脱させる構成とする。このように構成すると、昇降機３０用フランジを用いるから強固に固定できる効果がある。
【００４６】
尚、図１２〜図２１に示す梱包構造は、乾燥機の下部機枠１Ａや乾燥機用昇降機３０を例に説明したが、穀粒乾燥機以外において、他の立方体形状のタンクや長尺の搬送機器類の梱包法に応用できる。
【図面の簡単な説明】
【００４７】
【図１】穀物乾燥機の全体側断面図である。
【図２】穀物乾燥機の正面図である。
【図３】放射体の斜視図である。
【図４】吸引ファン部の（イ）背面図、及び（ロ）側面図である。
【図５】操作盤正面図である。
【図６】制御ブロック図である。
【図７】（ａ）（ｂ）感震検出器一例の作用状態を示す断面図である。
【図８】タイムチャートである。
【図９】感震検出器の装着一例を示す斜視図である。
【図１０】感震検出器の設置例を示す斜視図である。
【図１１】フローチャートである。
【図１２】フローチャートである。
【図１３】バーナ風胴部の正面図（ａ）と側面図（ｂ）である。
【図１４】正規の装着状態正面図である。
【図１５】下部機枠及び梱包部材の分解斜視図である。
【図１６】下部機枠及び梱包部材の一部拡大側面図である。
【図１７】異なる梱包例の正面図（ａ）及び側面図（ｂ）である。
【図１８】異なる梱包例を示す下部機枠の側面図である。
【図１９】異なる梱包例を示す下部機枠の平面図である。
【図２０】異なる梱包例を示す下部機枠の正面図である。
【図２１】昇降機及び梱包部材の側面図である。
【図２２】昇降機及び梱包部材の斜視図である。
【符号の説明】
【００４８】
１…乾燥機機枠、３…乾燥室、１３…バーナ、２６…ポンプ、２７…バルブ、４０…コントローラ（制御部）、４１…操作盤、５７…感震検出器、５８…鋼球、５９ａ，５９ｂ…接点、６０ａ〜６０ｄ…感震検出器、６１…感震検出器、６４…感震検出器
【図１】
2005156036.tif 000003
【図２】
2005156036.tif 000004
【図３】
2005156036.tif 000005
【図４】
2005156036.tif 000006
【図５】
2005156036.tif 000007
【図６】
2005156036.tif 000008
【図７】
2005156036.tif 000009
【図８】
2005156036.tif 000010
【図９】
2005156036.tif 000011
【図１０】
2005156036.tif 000012
【図１１】
2005156036.tif 000013
【図１２】
2005156036.tif 000014
【図１３】
2005156036.tif 000015
【図１４】
2005156036.tif 000016
【図１５】
2005156036.tif 000017
【図１６】
2005156036.tif 000018
【図１７】
2005156036.tif 000019
【図１８】
2005156036.tif 000020
【図１９】
2005156036.tif 000021
【図２０】
2005156036.tif 000022
【図２１】
2005156036.tif 000023
【図２２】
2005156036.tif 000024